(57)【特許請求の範囲】
【請求項１】
記録媒体を機器本体内に収容して該記録媒体に記録された情報を読み出す記録媒体再生装置において、
前記機器本体内に収容された記録媒体をクランプしかつ前記記録媒体に記録されている情報を読み出すことが可能なクランプ再生手段を備え、
前記クランプ再生手段は、前記記録媒体を挟むことが可能な一対の挟持部材と、前記機器本体内に収容された記録媒体を位置決めする位置決め部材と、を含み、
前記位置決め部材は、前記機器本体内に収容された記録媒体と接触して該記録媒体を位置決めする位置決め位置と、位置決めした記録媒体から離れる離間位置とに亘って移動自在に前記一対の挟持部材のうちの一方の挟持部材に取付けられ、
前記位置決め部材を前記離間位置に向かって付勢する第１の状態と、前記位置決め部材を前記位置決め位置に向かって付勢する第２の状態と、を切り替え可能であるとともに、前記位置決め部材を前記離間位置に向かって付勢した際の前記位置決め部材の前記一方の挟持部材に対する相対的な位置を所定の範囲内に保つ位置ずれ吸収手段を備え、さらに、
前記位置ずれ吸収手段は、
一端部と中央部とが前記一方の挟持部材に取りつけられかつ他端部が前記位置決め部材と接触して、前記位置決め部材を前記離間位置と前記位置決め位置それぞれに向かって付勢するとともに、前記一対の挟持部材が記録媒体をクランプすると前記中央部が他方の挟持部材に接触するねじりばねと、
前記ねじりばねの中央部を、前記位置決め部材が前記一方の挟持部材に対し相対的に移動する方向に沿って移動自在に支持する支持部と、
を備えたことを特徴とする記録媒体再生装置。
【請求項２】
前記支持部は、前記ねじりばねが前記位置決め部材を前記離間位置に向かって付勢する方向に沿って、前記ねじりばねの中央部を移動自在とすることを特徴とする請求項１記載の記録媒体再生装置。
【発明の詳細な説明】
【０００１】
【発明の属する技術分野】
本発明は、例えばCompact Discなどの記録媒体から情報を取り出す記媒媒体再生装置に関する。
【０００２】
【従来の技術】
例えば、移動体としての自動車のインストルメントパネル（以下インパネと呼ぶ）には、記録媒体再生装置としてのＣＤプレーヤが取り付けられる。ＣＤプレーヤは、Compact Disc（以下ＣＤと呼ぶ）などの記録媒体が記録した情報を取り出す。
【０００３】
前記ＣＤプレーヤは、前記インパネに取り付けられる機器本体と、前記機器本体に開口した記録媒体挿入口と、搬送ユニットと、クランプ再生ユニットと、位置決め部材と、検出部材などを備えている。機器本体は、複数の板金などが互いに組み付けられて箱状に形成されている。記録媒体挿入口は、内側に前記ＣＤが通される。
【０００４】
搬送ユニットは、記録媒体挿入口内を通されたＣＤを所定の再生位置まで搬送したり、前記再生位置からＣＤを記録媒体挿入口まで搬送して該ＣＤを機器本体内から排出する。搬送ユニットは、互いに接離自在に設けられた一対の挟持部材を備えている。
【０００５】
これら一対の挟持部材のうち一方は、モータなどの駆動源によって回転駆動される搬送ローラを備えている。搬送ローラは、前記モータなどの駆動源によって回転駆動されることによって、ＣＤを搬送する。他方の挟持部材は、摩擦係数の小さい滑り部材を備えている。滑り部材は、前記搬送ローラとの間に前記ＣＤを挟んで、該ＣＤの搬送方向を案内する。搬送ユニットは、一対の挟持部材間にＣＤを挟んで、前記ＣＤを搬送する。
【０００６】
クランプ再生ユニットは、互いに接離自在に設けられた一対の第２挟持部材を備えている。これら一対の第２挟持部材のうち一方は、円板状のクランパを備えている。クランパは、前記一方の第２挟持部材に対し回転自在に設けられている。
【０００７】
他方の第２挟持部材は、モータなどの駆動源によって回転駆動される回転テーブルと、前記ＣＤに記録された情報を取り出すための光ピックアップと、を備えている。回転テーブルは、前記クランパと相対する位置に配されている。回転テーブルは、前記ＣＤを中央孔内に侵入し、回転することで、前記ＣＤを回転する。
【０００８】
一対の第２挟持部材は、互いに近づくと、前記回転テーブルとクランパとの間に前記ＣＤを挟む。一対の第２挟持部材間にＣＤを挟んで、クランプ再生ユニットは、ＣＤをクランプする。そして、前記クランプ再生ユニットの光ピックアップが前記ＣＤの情報を取り出す。
【０００９】
位置決め部材は、前記一対の第２挟持部材間に設けられかつ前記一方の第２挟持部材に接離自在に設けられている。位置決め部材は、前記一方の第２挟持部材から離れると前記ＣＤと接触して該ＣＤを位置決めする。位置決め部材は、一方の第２挟持部材に近づくと前記ＣＤから離れる。位置決め部材は、前記一方の第２挟持部材から離れる方向に付勢されている。また、位置決め部材は、クランプ再生ユニットがＣＤをクランプすると、アーム部材などによって一方の第２挟持部材に向かって押される。
【００１０】
検出部材は、帯状に形成されかつ長手方向が機器本体の幅方向に沿う状態で中央部が位置決め部材に回転自在に支持される。検出部材は、一端部がＣＤに接触する位置と、この一端部が前記ＣＤから離れる位置と、に亘って位置決め部材に回転自在に支持されている。検出部材は、前記一端部が前記ＣＤに接触する方向に付勢されている。
【００１１】
検出部材は、一端部にＣＤが接触するとこの一端部がＣＤに押されて、回転する。検出部材は、回転することで、前記一対の挟持部材を互いに離す動作と、一対の第２挟持部材を互いに近づける動作を開始させる。
【００１２】
前記ＣＤが記録媒体挿入口を通して機器本体内に挿入されると、まず、ＣＤが搬送ユニットの一対の挟持部材間に挟まれる。搬送ローラの回転によってＣＤが、クランプ再生ユニットの一対の第２挟持部材間に向かって搬送される。
【００１３】
検出部材の一端部にＣＤが接触するとともに、位置決め部材によってＣＤが位置決めされる。そして、検出部材が回転して、搬送ユニットの一対の挟持部材がＣＤから離れるとともに、クランプ再生ユニットの第２挟持部材間にＣＤをクランプする。位置決め部材は、アーム部材などによって一方の第２挟持部材に向かって押される。位置決め部材がＣＤから離れて、該ＣＤを回転テーブルで回転させて情報を読み出す。
【００１４】
【発明が解決しようとする課題】
前記位置決め部材は、クランプ再生ユニットがＣＤを確実にクランプするために、クランプ再生ユニットがＣＤをクランプしていない状態では前記一方の第２挟持部材から離れている。位置決め部材は、クランプ再生ユニットがＣＤをクランプすると、ＣＤの回転を妨げないように該ＣＤから離れて前記一方の第２挟持部材に近づく。
【００１５】
前述した第２挟持部材と位置決め部材それぞれに寸法誤差があったり、これらの組み付け誤差があると、前記クランプした状態で、一方の第２挟持部材と位置決め部材との間の相対的な位置がずれることがある。具体的には、位置決め部材が一方の第２挟持部材を他方の第２挟持部材から離れる方向に押しすぎてＣＤのクランプが不完全となる。また、位置決め部材と一方の第２挟持部材との間の隙間が大きくなって、前記位置決め部材が一対の第２挟持部材間で振動して異音などを生じる。
【００１６】
したがって、本発明の目的は、互いに移動自在な二つの部材間の位置ずれを吸収できる記録媒体再生装置を提供することにある。
【００１７】
【課題を解決するための手段】
【００２２】
請求項１に記載の本発明の記録媒体再生装置は、記録媒体を機器本体内に収容して該記録媒体に記録された情報を読み出す記録媒体再生装置において、前記機器本体内に収容された記録媒体をクランプしかつ前記記録媒体に記録されている情報を読み出すことが可能なクランプ再生手段を備え、前記クランプ再生手段は、前記記録媒体を挟むことが可能な一対の挟持部材と、前記機器本体内に収容された記録媒体を位置決めする位置決め部材と、を含み、前記位置決め部材は、前記機器本体内に収容された記録媒体と接触して該記録媒体を位置決めする位置決め位置と、位置決めした記録媒体から離れる離間位置とに亘って移動自在に前記一対の挟持部材のうちの一方の挟持部材に取付けられ、前記位置決め部材を前記離間位置に向かって付勢する第１の状態と、前記位置決め部材を前記位置決め位置に向かって付勢する第２の状態と、を切り替え可能であるとともに、前記位置決め部材を前記離間位置に向かって付勢した際の前記位置決め部材の前記一方の挟持部材に対する相対的な位置を所定の範囲内に保つ位置ずれ吸収手段を備え、さらに、前記位置ずれ吸収手段は、一端部と中央部とが前記一方の挟持部材に取りつけられかつ他端部が前記位置決め部材と接触して、前記位置決め部材を前記離間位置と前記位置決め位置それぞれに向かって付勢するとともに、前記一対の挟持部材が記録媒体をクランプすると前記中央部が他方の挟持部材に接触するねじりばねと、前記ねじりばねの中央部を、前記位置決め部材が前記一方の挟持部材に対し相対的に移動する方向に沿って移動自在に支持する支持部と、を備えたことを特徴としている。
【００２４】
請求項２に記載の本発明の記録媒体再生装置は、請求項１に記載の記録媒体再生装置において、前記支持部は、前記ねじりばねが前記位置決め部材を前記離間位置に向かって付勢する方向に沿って、前記ねじりばねの中央部を移動自在とすることを特徴としている。
【００３２】
請求項１に記載した本発明の記録媒体再生装置によれば、位置ずれ吸収手段が、一方の挟持部材と位置決め部材との相対的な位置を所定の範囲内に保つ。このため、一方の挟持部材と位置決め部材との寸法誤差やこれらの部材の組み付け誤差があっても、前記一方の挟持部材と位置決め部材との相対的な位置を一定に保つことができる。
【００３３】
位置ずれ吸収手段が、位置決め部材を付勢するねじりばねと、このねじりばねの中央部を移動自在に支持する支持部と、を備えている。また、ねじりばねは、記録媒体がクランプされると中央部が他方の挟持部材に接触する。このため、一方の挟持部材と位置決め部材との寸法誤差やこれらの部材の組み付け誤差がある場合には、ねじりばねの特に位置決め部材と接触する他端部が弾性変形する。このため、記録媒体をクランプした際に、位置決め部材が必要以上に一方の挟持部材を他方の挟持部材から離れる方向に付勢することを防止できる。
【００３４】
また、一方の挟持部材と位置決め部材との寸法誤差やこれらの部材の組み付け誤差がある場合には、前記支持部に対する中央部の位置が変化する。記録媒体をクランプした際に、位置決め部材が一方の挟持部材から離れて、一対の挟持部材間で振動することを防止できる。したがって、一方の挟持部材と位置決め部材との相対的な位置を一定に保つことができる。
【００３５】
請求項２に記載した本発明の記録媒体再生装置によれば、ねじりばねの中央部が離間位置に向かって付勢される方向に沿って移動自在である。一方の挟持部材と位置決め部材との寸法誤差やこれらの部材の組み付け誤差があると、中央部が離間位置に向かって付勢する方向に沿って移動する。このため、前記一方の挟持部材と位置決め部材との相対的な位置を一定に保つことができる。
【００３９】
【発明の実施の形態】
本発明の一実施形態にかかる記録媒体再生装置１を図１ないし図２２を参照して説明する。図１などに示す記録媒体再生装置１は、例えば、移動体としての自動車のインストルメントパネル（以下インパネと呼ぶ）に装着される。
【００４０】
記録媒体再生装置１は、外径が例えば１２ｃｍなどの比較的大径な大径ディスク形記録媒体としての大径ＣＤ２ａ（図１３などに示す）と、外径が例えば８ｃｍなどの比較的小径な小径ディスク形記録媒体としての小径ＣＤ２ｂ（図１５などに示す）とを使用者が選択して、後述する機器本体３内に収容する。記録媒体再生装置１は、これらの互いに外径の異なるＣＤ２ａ，２ｂを機器本体３内の再生位置に位置決めして、これらのＣＤ２ａ，２ｂに記録された情報を読み出して（再生して）、音声として出力する。
【００４１】
記録媒体再生装置１は、図１などに示すように、機器本体３と、搬送手段としての搬送ユニット４（図６ないし図８に示す）と、一対のロック部材４４（図６ないし図８に示す）と、クランプ再生手段としてのクランプ再生ユニット５と、を備えている。
【００４２】
機器本体３は、シャーシ８（図２及び図３などに示す）と、駆動源部６（図３に示す）と、一対のスライド部材７（図４に一つ示す）と、を備えている。シャーシ８は、図２及び図３に示すように、複数の板金などが互いに取り付けられて構成されている。前記板金などが折り曲げられて、シャーシ８は、扁平な箱状に形成されている。
【００４３】
シャーシ８は、図２及び図３に示すように、略平坦な底壁９と、該底壁９に間隔をおいて相対する略平坦な天井壁１０と、これらの底壁９と天井壁１０とに連なる複数の周壁１１と、を備えている。これらの壁９，１０，１１には、それぞれ、前記シャーシ８の軽量化と剛性の確保とのために、複数の開口部が設けられている。
【００４４】
複数の周壁１１のうち図１中の手前側に位置する一つの周壁１１には、記録媒体挿入口１２が形成されている。記録媒体挿入口１２は、前記一つの周壁１１を貫通している。記録媒体挿入口１２は、図１中の矢印Ｋに沿って、内側に前記ＣＤ２ａ，２ｂを通すことができる。前記記録媒体挿入口１２を通して、前記ＣＤ２ａ，２ｂは、機器本体３内に収容されたり、該機器本体３内から排出される。
【００４５】
駆動源部６は、前記記録媒体挿入口１２を形成した前記一つの周壁１１に連なる他の周壁１１（図３中奥側に位置する周壁１１）の近傍に取り付けられている。駆動源部６は、図３に示すように、駆動源としてのモータ１３と、複数の歯車１４と、を備えている。モータ１３は、シャーシ８に取り付けられている。モータ１３は、搬送ユニット４の駆動源をなしている。
【００４６】
モータ１３の出力軸には、図示しないピニオンが取り付けられている。複数の歯車１４は、それぞれ、前記周壁１１などに回転自在に支持されている。これらの歯車１４は互いに噛み合っているとともに、これらの歯車１４のうち一つの歯車１４は、前記ピニオンと噛み合っている。
【００４７】
一対のスライド部材７は、記録媒体挿入口１２を形成した一つの周壁１１に連なる一対の周壁１１それぞれに取り付けられている。スライド部材７は、周壁１１に、前記矢印Ｋに沿ってスライド自在に取り付けられている。即ち、スライド部材７は、ＣＤ２ａ，２ｂの挿入及び排出方向（以下併せて搬送方向と呼ぶ）に沿って、スライド自在となっている。
【００４８】
一対のスライド部材７のうち図３中奥側に位置するスライド部材７には、ラック１５が取り付けられている。ラック１５は、記録媒体挿入口１２を通して機器本体３内にＣＤ２ａ，２ｂが挿入されると、後述する検出部材６０によって、前記記録媒体挿入口１２が形成された一つの周壁１１に向かって押される。
【００４９】
ラック１５は、前記検出部材６０によって前記一つの周壁１１に向かって押されると、一つの歯車１４と噛み合う。また、一対のスライド部材７は、リンク１００（図１などに示す）によって、同期して周壁１１に対しスライド移動する。すなわち、一対のスライド部材７は、同時に記録媒体挿入口１２に近づいたり離れたり（接離）する。
【００５０】
図２中に奥側の周壁１１に取り付けられたスライド部材７は、図４に示すように、板金部１６と、合成樹脂部１７と、を備えている。板金部１６は、帯板状に形成されかつ前記周壁１１に、図４中の矢印Ｋに沿って、スライド自在に支持されている。板金部１６の長手方向は、前記周壁１１の長手方向に沿っている。
【００５１】
合成樹脂部１７は、摩擦係数の小さな合成樹脂からなり略方体状に形成されている。合成樹脂部１７は、板金部１６に三つ取り付けられている。合成樹脂部１７は、板金部１６の長手方向の中央部と、板金部１６の記録媒体挿入口１２から離れた端部と、板金部１６の前記中央部と前記端部との間に設けられている。
【００５２】
板金部１６には、一対のガイド孔１８と、一対の孔１９とが設けられている。これらの孔１８，１９は、板金部１６を貫通している。前記一対のガイド孔１８は、板金部１６の記録媒体挿入口１２寄りの端部に設けられている。これら一対のガイド孔１８は、板金部１６の長手方向に沿って互いに間隔をあけて配されている。
【００５３】
ガイド孔１８は、それぞれ、一対の水平延在部２０ａ，２０ｂと、一対の傾斜延在部２１ａ，２１ｂと、を備えている。ガイド孔１８は、記録媒体挿入口１２に近い側から順に、一方の水平延在部２０ａと一方の傾斜延在部２１ａと他方の傾斜延在部２１ｂと他方の水平延在部２０ｂとを配している。これらの一方の水平延在部２０ａと一方の傾斜延在部２１ａと他方の傾斜延在部２１ｂと他方の水平延在部２０ｂは、互いに直列に連なっている。
【００５４】
両水平延在部２０ａ，２０ｂは、板金部１６即ちスライド部材７のスライド方向（矢印Ｋ）に沿って延びている。一方の水平延在部２０ａが他方の水平延在部２０ｂより図４中の下方に配されている。両傾斜延在部２１ａ，２１ｂは、板金部１６即ちスライド部材７のスライド方向（矢印Ｋ）に対し交差する方向に沿って延びている。
【００５５】
一方の傾斜延在部２１ａは、一方の水平延在部２０ａから離れるのにしたがって徐々に下方に向かうように延びている。他方の傾斜延在部２１ｂは、前記一方の傾斜延在部２１ａから離れて他方の水平延在部２０ｂに近づくのにしたがって徐々に上方に向かうように延びている。
【００５６】
一方の孔１９は、板金部１６の長手方向に沿って、前記板金部１６の中央部に設けられた合成樹脂部１７と、前記中央部と前記端部との間に設けられた合成樹脂部１７と、の間に設けられている。他方の孔１９は、板金部１６の長手方向に沿って、前記中央部と前記端部との間に設けられた合成樹脂部１７と、前記板金部１６の端部に設けられた合成樹脂部１７と、の間に設けられている。
【００５７】
また、板金部１６の記録媒体挿入口１２寄りの端部には、ガイド斜面２２が設けられている。ガイド斜面２２は、記録媒体挿入口１２に向かうにしたがって徐々に上方に向かうように、スライド部材７のスライド方向に対し傾斜している。
【００５８】
前記板金部１６の中央部に設けられた合成樹脂部１７には、第１ガイド溝２３が設けられている。第１ガイド溝２３は、合成樹脂部１７の機器本体３の内側に位置する表面から凹に形成されている。第１ガイド溝２３は、水平部２４と上方傾斜部２５と拡大部２６と、を備えている。これらの水平部２４と上方傾斜部２５と拡大部２６とは、スライド部材７のスライド方向に沿って、記録媒体挿入口１２から離れるのにしたがって順に配されている。水平部２４と上方傾斜部２５と拡大部２６とは、互いに連なっている。
【００５９】
水平部２４は、スライド部材７のスライド方向に沿って延びている。上方傾斜部２５は、水平部２４即ち記録媒体挿入口１２から離れるのにしたがって徐々に上方に向かうように、スライド部材７のスライド方向に対し傾斜している。拡大部２６は、上方傾斜部２５即ち記録媒体挿入口１２から離れるのにしたがって、スライド部材７のスライド方向に対し交差する方向の幅が徐々に大きくなるように形成されている。拡大部２６の記録媒体挿入口１２から離れた端部の幅は、前記孔１９の幅と略等しい。
【００６０】
板金部１６の中央部と前記端部との間に設けられた合成樹脂部１７には、第２ガイド溝２７が設けられている。第２ガイド溝２７は、合成樹脂部１７の機器本体３の内側に位置する表面から凹に形成されている。第２ガイド溝２７は、水平部２７ａと、下方傾斜部２８と、拡大部２９と、を備えている。水平部２７ａと下方傾斜部２８と拡大部２９とは、スライド部材７のスライド方向に沿って、記録媒体挿入口１２から離れるのにしたがって順に配されている。水平部２７ａと下方傾斜部２８と拡大部２９とは、互いに連なっている。
【００６１】
水平部２７ａは、スライド部材７のスライド方向に沿って延びている。下方傾斜部２８は、記録媒体挿入口１２から離れるのにしたがって徐々に下方に向かうように、スライド部材７のスライド方向に対し傾斜している。拡大部２９は、下方傾斜部２８即ち記録媒体挿入口１２から離れるのにしたがって、スライド部材７のスライド方向に対し交差する方向の幅が徐々に大きくなるように形成されている。拡大部２９の記録媒体挿入口１２から離れた端部の幅は、前記孔１９の幅と略等しい。
【００６２】
板金部１６の前記端部に設けられた合成樹脂部１７には、ロックガイド溝３０とロック凹溝３１とが設けられている。ロックガイド溝３０とロック凹溝３１とは、合成樹脂部１７の機器本体３の内側に位置する表面から凹に形成されている。ロックガイド溝３０は、ロック凹溝３１の上方に設けられている。ロックガイド溝３０は、スライド延在部３２と交差延在部３３とを備えている。
【００６３】
スライド延在部３２と交差延在部３３とは、スライド部材７のスライド方向に沿って、記録媒体挿入口１２から離れるのにしたがって順に配されている。スライド延在部３２と交差延在部３３とは、互いに連なっている。
【００６４】
スライド延在部３２は、スライド部材７のスライド方向に沿って延びている。交差延在部３３は、スライド延在部３２から上方に向かって延びている。こうして、交差延在部３３は、スライド延在部３２から前記スライド方向に対し交差する方向に沿って延びている。
【００６５】
ロック凹溝３１は、水平延在部３５と、拡大部３６と、を備えている。水平延在部３５と拡大部３６とは、スライド部材７のスライド方向に沿って、記録媒体挿入口１２から離れるのにしたがって順に配されている。水平延在部３５と拡大部３６とは、互いに連なっている。
【００６６】
水平延在部３５は、スライド部材７のスライド方向に沿って延びている。拡大部３６は、水平延在部３５即ち記録媒体挿入口１２から離れるのにしたがって、スライド部材７のスライド方向に対し交差する方向の幅が徐々に大きくなるように形成されている。
【００６７】
板金部１６に一対のガイド孔１８と一対の孔１９とガイド斜面２２が設けられ、かつ合成樹脂部１７に第１ガイド溝２３と第２ガイド溝２７とロックガイド溝３０とロック凹溝３１とが設けられている。このため、スライド部材７は、一対のガイド孔１８と一対の孔１９とガイド斜面２２と第１ガイド溝２３と第２ガイド溝２７とロックガイド溝３０とロック凹溝３１とを備えている。
【００６８】
搬送ユニット４は、図６ないし図８などに示すように、ローラアーム３７と、ディスクガイド３８と、を備えている。ローラアーム３７は、前記記録媒体挿入口１２の近傍に配されている。ローラアーム３７は、板金などからなるアーム本体３９と、ローラ４０と、を備えている。
【００６９】
アーム本体３９は、長手方向がシャーシ８の幅方向に沿った帯状に形成されている。アーム本体３９は、幅方向の一方の縁部を中心として底壁９に回転自在に支持されている。アーム本体３９の回転中心は、シャーシ８の幅方向に沿っている。アーム本体３９は、幅方向の他方の縁部が底壁９から離れる方向に、図示しないコイルばねによって付勢されている。
【００７０】
ローラ４０は、アーム本体３９の前記他方の縁部に回転自在に支持されている。ローラ４０の回転中心は、シャーシ８の幅方向に沿っている。ローラ４０の一端部には、図示しない歯車が取り付けられている。アーム本体３９の前記他方の縁部が底壁９から離れた状態において、ローラ４０の歯車は、駆動源部６の歯車１４の一つに噛み合う。ローラ４０は、前記歯車１４などを介して、モータ１３の回転駆動力によって回転される。
【００７１】
ディスクガイド３８は、板金などからなるガイド本体４１と、該ガイド本体に取り付けられた滑り部材４２と、を備えている。ガイド本体４１は、長手方向がシャーシ８の幅方向に沿った帯状に形成されている。ガイド本体４１は、後述するピン４３と、該ピン４３が侵入するガイド孔１８と、によって、鉛直方向に沿ってスライド自在にシャーシ８に支持されている。滑り部材４２は、摩擦係数の小さい合成樹脂からなる。滑り部材４２は、薄い板状に形成されている。滑り部材４２は、ガイド本体４１のシャーシ８の内側に位置する表面に取り付けられている。
【００７２】
前記ローラアーム３７とディスクガイド３８は、それぞれ、ピン４３を備えている。ローラアーム３７のピン４３は、アーム本体３９の図１及び図２中の奥側に位置する幅方向の端部から前記スライド部材７を取り付けた周壁１１に向かって突出している。ローラアーム３７のピン４３は、アーム本体３９が図示しないコイルばねに付勢されることによって、スライド部材７のガイド斜面２２に接触する。
【００７３】
ディスクガイド３８のピン４３は、ガイド本体４１の図１及び図２中の奥側に位置する幅方向の端部に一対設けられ、ガイド本体４１の図１及び図２中の手前側に位置する幅方向の端部に一つ設けられている。これらのピン４３は、ガイド本体４１から周壁１１に向かって突出している。ガイド本体４１の図１及び図２中の奥側に位置する幅方向の端部に一対設けられたディスクガイド３８のピン４３は、それぞれ、前記ガイド孔１８内を通る。
【００７４】
ロック部材４４は、前記スライド部材７を取りつけた周壁１１それぞれの近傍に配されている。これらのロック部材４４は、記録媒体挿入口１２を形成した周壁１１と相対する周壁１１の近傍に配されている。
【００７５】
ロック部材４４は、それぞれ、薄い板金などからなり、かつ平面形状が略矩形状のロック本体５３と鉤状の鉤部５４と第３ピン５９とを一体に備えている。鉤部５４は、ロック本体５３の一つの外縁部から離れる方向に延びた後、前記一つの外縁部に沿って延びている。
【００７６】
ロック部材４４は、前記ロック本体５３の鉤部５４から離れた端部５８を中心として、底壁９に回転自在に支持されている。ロック部材４４は、前記端部５８を中心として回転することで、図６に示す鉤部５４で後述するロックピン５２を係止するロック位置と、図８に示す鉤部５４でのロックピン５２の係止を解除するロック解除位置と、に亘って変位する。
【００７７】
第３ピン５９は、ロック本体５３からスライド部材７に向かって突出している。第３ピン５９は、前記ロック位置とロック解除位置とに亘って、ロックガイド溝３０内に侵入する。
【００７８】
クランプ再生ユニット５は、図５に示すように、キャリッジシャーシ４５と、クランプアーム４６と、位置決め部材６１と、ＣＤ検出部材６２と、ねじりばね６３と、検出部材６０（図１０に示す）と、カム部材６４（図１０に示す）と、第２ねじりばね６５（図１０に示す）と、を備えている。
【００７９】
キャリッジシャーシ４５は、板金などからなるシャーシ本体４７と、該シャーシ本体４７に取付けられた回転テーブル４８と、前記シャーシ本体４７に取り付けられた図示しない光ピックアップ部と、を備えている。シャーシ本体４７は、略平板状に形成されている。
【００８０】
回転テーブル４８は、シャーシ本体４７に回転自在に支持されている。回転テーブル４８は、ＣＤ２ａ，２ｂの中央孔内に侵入する。回転テーブル４８は、モータなどの駆動力によってＣＤ２ａ，２ｂを回転させる。光ピックアップ部は、前記ＣＤ２ａ，２ｂに記録された情報を読みとるための光ピックアップと、該光ピックアップを回転テーブル４８に対し接離させる駆動機構などを備えている。
【００８１】
クランプアーム４６は、板金などからなるアーム本体４９と、クランパ５０と、を備えている。アーム本体４９は、略平板状に形成されている。キャリッジシャーシ４５のシャーシ本体４７に、記録媒体挿入口１２から離れた端部を中心として回転自在に支持されている。アーム本体４９の回転中心は、シャーシ８の幅方向に沿っている。アーム本体４９がシャーシ本体４７に近づいた状態では、シャーシ本体４７とアーム本体４９とが略平行になる。
【００８２】
クランパ５０は、回転テーブル４８に相対する位置に配されている。クランパ５０は、円板状に形成されているとともに、アーム本体４９に回転自在に支持されている。クランパ５０は、アーム本体４９がシャーシ本体４７と略平行な状態となると、回転テーブル４８との間にＣＤ２ａ，２ｂを挟むことができる。なお、本明細書では、ＣＤ２ａ，２ｂが回転テーブル４８とクランパ５０との間に挟まれる位置を再生位置とする。また、記録媒体挿入口１２と前記再生位置との間は、本明細書に記した搬送経路をなしている。
【００８３】
位置決め部材６１は、図５に示すように、キャリッジシャーシ４５とクランプアーム４６との間に配されている。位置決め部材６１は、図９に示すように、平面形状がアーチ状の平板状の部材本体６６と、小径ＣＤ位置決め部６７と、大径ＣＤ位置決め部６８と、を備えている。部材本体６６は、前記回転テーブル４８とクランパ５０との双方と同軸的に配されている。部材本体６６は、記録媒体挿入口１２から離れた縁部を中心として回転自在にアーム本体４９に支持されている。
【００８４】
このため、位置決め部材６１は、図５に示すアーム本体４９から離れて小径ＣＤ２ｂを位置決めする位置決め位置と、図２０に示すアーム本体４９に近づいて、位置決めしたＣＤ２ａ，２ｂから離れる離間位置とに亘って、移動自在にクランプアーム４６に支持されている。また、位置決め部材６１は、図１６に示す小径ＣＤ２ｂを位置決めする第１位置と、図１４に示す大径ＣＤ２ａを位置決めする第２位置とに亘って、移動自在にクランプアーム４６に支持されている。なお、第１位置と位置決め位置とは同一の位置である。第２位置と離間位置とは異なる位置である。
【００８５】
位置決め位置（第１位置）では、小径ＣＤ位置決め部６７に、記録媒体挿入口１２を通して挿入された小径ＣＤ２ｂが接触可能である。位置決め位置（第２位置）では、大径ＣＤ位置決め部６８に、記録媒体挿入口１２を通して挿入された大径ＣＤ２ａが接触可能である。離間位置では、双方の位置決め部６７，６８からＣＤ２ｂ，２ａが離れる。なお、離間位置は本明細書に記した第１の位置をなしており、位置決め位置は本明細書に記した第２の位置をなしている。
【００８６】
小径ＣＤ位置決め部６７は、図９に示すように、部材本体６６の弧状の内縁部である。小径ＣＤ位置決め部６７は、ＣＤ検出部材６２の後述する他端部６２ｂがアーム本体４９から離れた状態（第１位置、位置決め位置）で、記録媒体挿入口１２から挿入された小径ＣＤ２ｂと接触可能である。小径ＣＤ位置決め部６７は、小径ＣＤ２ｂと接触して、該小径ＣＤ２ｂを再生位置に位置決めする。
【００８７】
大径ＣＤ位置決め部６８は、部材本体６６からキャリッジシャーシ４５に向かって突出している。大径ＣＤ位置決め部６８は、回転テーブル４８とクランパ５０と小径ＣＤ位置決め部６７と同軸的な弧状に形成されている。大径ＣＤ位置決め部６８は、ＣＤ検出部材６２の後述する他端部６２ｂがアーム本体４９に近づいた状態（第２位置）で、記録媒体挿入口１２から挿入された大径ＣＤ２ａと接触可能である。大径ＣＤ位置決め部６８は、大径ＣＤ２ａと接触して、該大径ＣＤ２ａを再生位置に位置決めする。
【００８８】
なお、前述した構成の位置決め部材６１は、請求項１ないし請求項３に記した第２の部材に相当し、請求項４に記した第１の部材に相当する。
【００８９】
ＣＤ検出部材６２は、平面形状が略矩形状の板状に形成されている。ＣＤ検出部材６２は、記録媒体挿入口１２の幅方向に沿った縁部でかつシャーシ８内に配されている。ＣＤ検出部材６２は、記録媒体挿入口１２から挿入された大径ＣＤ２ａと接触し、記録媒体挿入口１２から挿入された小径ＣＤ２ｂと接触しない位置に配されている。
【００９０】
ＣＤ検出部材６２は、一端部６２ａを中心として回転自在にクランプアーム４６のアーム本体４９に回転自在に支持されている。このため、ＣＤ検出部材６２は、他端部６２ｂがアーム本体４９に近づいたりアーム本体４９から離れたり（接離）する。ＣＤ検出部材６２は、一端部６２ａが他端部６２ｂより記録媒体挿入口１２寄りに配されている。
【００９１】
ＣＤ検出部材６２は、他端部６２ｂが位置決め部材６１の部材本体６６に係合している。このため、ＣＤ検出部材６２の他端部６２ｂがアーム本体４９から離れると、位置決め部材６１の部材本体６６はアーム本体４９から離れる。ＣＤ検出部材６２の他端部６２ｂがアーム本体４９に近づくと、位置決め部材６１の部材本体６６はアーム本体４９に近づく。
【００９２】
ＣＤ検出部材６２は、その長手方向の中央部に支持部６９を設けている。支持部６９は、搬送方向Ｋに沿って互いに間隔をあけて配された一対の爪７０と、これらの爪７０間に配された支持ピン７１と、を備えている。爪７０は、ＣＤ検出部材６２からシャーシ８の幅方向に沿って外方向に突出している。爪７０は、ＣＤ検出部材６２から離れた端部が互いに近づくように形成されて、鉤状に形成されている。支持ピン７１は、略円柱状に形成されかつＣＤ検出部材６２からシャーシ８の幅方向に沿って外方向に突出している。
【００９３】
支持ピン７１がねじりばね６３のコイル部（中央部）６３ａの内側を通り、爪７０がコイル部（中央部）６３ａの外側に係止して、支持部６９はねじりばね６３を取りつける。また、支持部６９は、ねじりばね６３が後述するように位置決め部材６１を離間位置に向かって付勢する方向に沿って、中央部６３ａを移動自在に支持する。
【００９４】
ねじりばね６３の中央部６３ａが支持部６９に取りつけられている。ねじりばね６３の一端部６３ｂがＣＤ検出部材６２に取りつけられている。ＣＤ検出部材６２がクランプアーム４６に取りつけられているので、ねじりばね６３の中央部６３ａと一端部６３ｂは、ＣＤ検出部材６２を介してクランプアーム４６に取りつけられている。
【００９５】
ねじりばね６３の他端部６３ｃには、屈曲部６３ｄが形成されている。他端部６３ｃの屈曲部６３ｄより端側６３ｅは、後述する矢印Ｍ１の逆向きに延びている。ねじりばね６３の他端部６３ｃの端側６３ｅは、位置決め部材６１に接触している。ねじりばね６３は、両端部６３ｂ，６３ｃが図５中の矢印Ｍ１，Ｍ２に沿って互いに近づく方向に弾性復元力を生じ、中央部６３ａが図５中の矢印Ｌに沿うクランプアーム４６から離れる方向の弾性復元力を生じた状態で配されている。
【００９６】
ねじりばね６３は、図２０に示すように、キャリッジシャーシ４５とクランプアーム４６とが互いに近づくと、中央部６３ａがキャリッジシャーシ４５に接触する。中央部６３ａの位置が規制されかつ矢印Ｌに沿う弾性復元力を生じているので、他端部６３ｃが位置決め部材６１を図２０中の矢印Ｎに沿ってクランプアーム４６に向かって付勢する。すなわち、ねじりばね６３は、位置決め部材６１を前記離間位置に向かって付勢する。
【００９７】
また、ねじりばね６３は、図５に示すように、キャリッジシャーシ４５とクランプアーム４６とが互いに離れると、中央部６３ａがキャリッジシャーシ４５から離れる。すると、中央部６３ａの変位が許容されるとともに、矢印Ｍ１，Ｍ２に沿った弾性復元力を生じている。これらの弾性復元力が両端部６３ｂ，６３ｃを互いに近づける方向に作用する。また、前記端側６３ｅが前述したように延びている。このため、ねじりばね６３は、位置決め部材６１を前記位置決め位置に向かって付勢するとともに、他端部６２ｂがクランプアーム４６のアーム本体４９から離す方向にＣＤ検出部材６２を付勢する。
【００９８】
こうして、ねじりばね６３は、位置決め部材６１を離間位置に向かって付勢する第１の状態と、位置決め部材６１を位置決め位置に向かって付勢する第２の状態と、を切り替え可能となっている。
【００９９】
検出部材６０は、搬送方向Ｋに沿って、ＣＤ検出部材６２より記録媒体挿入口１２から離れた機器本体３の奥に設けられている。検出部材６０は、図１０に示すように、部材本体７２と、小径ＣＤ接触部７３と、大径ＣＤ接触部７４と、ラック押圧部７５と、を備えている。部材本体７２は、一方向に沿って延びたアーム状に形成されている。部材本体７２は、長手方向が機器本体３の幅方向に沿う状態で、位置決め部材６１に支持されている。部材本体７２は、中央部７２ａを中心として回動自在に位置決め部材６１に支持されている。
【０１００】
小径ＣＤ接触部７３は、機器本体３の幅方向に沿った機器本体３の内側に位置する部材本体７２の一端部７２ｂの端に設けられている。小径ＣＤ接触部７３は、記録媒体挿入口１２を通して挿入された小径ＣＤ２ｂと接触可能である。大径ＣＤ接触部７４は、部材本体７２の一端部７２ｂでかつ小径ＣＤ接触部７３と中央部７２ａとの間に配されている。大径ＣＤ接触部７４は、記録媒体挿入口１２を通して挿入された大径ＣＤ２ａと接触可能である。
【０１０１】
ラック押圧部７５は、部材本体７２の他端部７２ｃに設けられている。ラック押圧部７５は、ラック１５と接触し該ラック１５を記録媒体挿入口１２に向かって押圧可能である。
【０１０２】
また、検出部材６０は、ばね接触部７８と、ばね接触片７９とを備えている。ばね接触部７８は、部材本体７２の中央部７２ａから記録媒体挿入口１２に向かって延びている。ばね接触部７８は、第２ねじりばね６５の後述する他端部６５ｃの機器本体３より幅方向に沿った内側に位置する。ばね接触片７９は、部材本体７２から底壁９に向かって延びている。ばね接触片７９は、第２ねじりばね６５の他端部６５ｃより機器本体３の幅方向に沿った外側に位置する。
【０１０３】
前述した構成の検出部材６０は、図１０中に実線で示す接触位置と、図１０中に二点鎖線で示す離間位置とに亘って、位置決め部材６１に回転自在に支持されている。即ち、検出部材６０は、図１０中の矢印Ａに沿う一方の方向と、この一方の方向とは逆向きの図１０中の矢印Ｂに沿う他方の方向とのそれぞれに沿って、回転自在である。
【０１０４】
接触位置では、各接触部７３，７４即ち一端部７２ｂが位置決め部６７，６８から記録媒体挿入口１２に向かって突出して、前記一端部７２ｂがＣＤ２ｂ，２ａと接触できる。また、接触位置では、図１１に示すように、ばね接触部７８は第２ねじりばね６５と間隔をあけているとともに、図１２に示すように、ばね接触片７９に第２ねじりばね６５の他端部６５ｃが接触する。
【０１０５】
離間位置では、一端部７２ｂが位置決め部６７，６８から没して、前記一端部７２ｂがＣＤ２ｂ，２ａから離れる。また、離間位置では、ラック押圧部７５即ち他端部７２ｃがラック１５を記録媒体挿入口１２に向かって押して、ラック１５を一つの歯車１４と噛み合わせる。さらに、離間位置では、図１８に示すように、ばね接触部７８に第２ねじりばね６５の他端部６５ｃが接触するとともに、図１９に示すように、ばね接触片７９は、第２ねじりばね６５の他端部６５ｃと間隔をあけている。
【０１０６】
なお、前述した構成の検出部材６０は、請求項４に記した第２の部材に相当する。また、離間位置は本明細書に記した第１の位置をなしており、接触位置は本明細書に記した第２の位置をなしている。
【０１０７】
カム部材６４は、検出部材６０の他端部７２ｃとＣＤ検出部材６２との間に配されている。カム部材６４は、クランプアーム４６のアーム本体４９に回転自在に支持されている。カム部材６４の回転中心は、検出部材６０の回転中心と平行である。また、カム部材６４は、キャリッジシャーシ４５に設けられた図示せぬ突起部が接触されることにより回転される。
【０１０８】
カム部材６４は、前記回転中心寄りに配された中心部７６と、押圧部７７と、を備えている。押圧部７７は、中心部７６から外方向に突出している。押圧部７７は、前記接触位置と前記離間位置とに亘って検出部材６０の他端部７２ｃと接触する。押圧部７７は、前記離間位置では、第２ねじりばね６５の他端部６５ｃと接触する。
【０１０９】
第２ねじりばね６５のコイル部（中央部６５ａ）が、検出部材６０の部材本体７２の回転中心に取りつけられている。第２ねじりばね６５の一端部６５ｂが位置決め部材６１に取りつけられている。第２ねじりばね６５の他端部６５ｃは、カム部材６４とばね接触部７８との間を通されており、ばね接触部７８とばね接触片７９とに接触可能である。
【０１１０】
第２ねじりばね６５は、両端部６５ｂ，６５ｃが図１０中の矢印Ｏ１，Ｏ２に沿って互いに近づく方向に弾性復元力を生じた状態で配されている。第２ねじりばね６５は、検出部材６０が一方の方向としての図１０中の矢印Ａに沿って押されると、キャリッジシャーシ４５の移動に伴いカム部材６４が回転され、押圧部７７により押される。他端部７２ｃが、ばね接触片７９から離れて、ばね接触部７８に接触する。すると、前記矢印Ａに沿って検出部材６０を付勢する弾性復元力を生じる。すなわち、第２ねじりばね６５は、矢印Ａに沿って検出部材６０を付勢する。
【０１１１】
また、第２ねじりばね６５は、検出部材６０が他方の方向としての図１０中の矢印Ｂに沿って変位されると、キャリッジシャーシ４５の移動に伴いカム部材６４の押圧部７７による押圧が解かれ、他端部６５ｃが、ばね接触部７８から離れて、ばね接触片７９に接触する。すると、前記矢印Ｂに沿って検出部材６０を付勢する弾性復元力を生じる。すなわち、第２ねじりばね６５は、矢印Ｂに沿って検出部材６０を付勢する。
【０１１２】
こうして、第２ねじりばね６５は、検出部材６０を矢印Ａに沿って離間位置に向かって付勢する第１の状態と、検出部材６０を矢印Ｂに沿って接触位置に向かって付勢する第２の状態と、を切り替え可能となっている。また、第２ねじりばね６５は、検出部材６０が矢印Ａに沿って回転されると該検出部材６０を離間位置に向かって付勢し、検出部材６０が矢印Ｂに沿って回転されると該検出部材６０を接触位置に向かって付勢する。なお、矢印Ａは、本明細書に記した一方の方向に相当し、矢印Ｂは、本明細書に記した他方の方向に相当する。
【０１１３】
また、前述した構成のクランプ再生ユニット５は、図示しないゴムなどの弾性体からなるダンパと、コイルばねなどによって、前記機器本体３に対し移動自在にシャーシ８内に支持される。クランプ再生ユニット５は、回転テーブル４８とクランパ５０との間にＣＤ２ａ，２ｂを挟んで、回転テーブル４８でＣＤ２ａ，２ｂを回転させ光ピックアップ部で該ＣＤ２ａ，２ｂ内の情報を取り出す。
【０１１４】
そして、クランプ再生ユニット５は、前記自動車の走行中の振動によって機器本体３が振動しても、前記ダンパとコイルばねとによってシャーシ８に対し移動する。このように、前記ダンパとコイルばねなどは、前記自動車の走行中の振動などが前記ＣＤ２ａ，２ｂの情報を取り出す作業に悪影響を与えることを防止する。また、クランプ再生ユニット５は、鉤部５４の後述するロックピン５２に対する係止が徐々に解除されるのにしたがって、前記機器本体３に対し移動自在となる範囲が徐々に拡大する。
【０１１５】
また、前記キャリッジシャーシ４５とクランプアーム４６は、それぞれ、第２ピン５１を備えている。キャリッジシャーシ４５の第２ピン５１は、シャーシ本体４７の図１及び図２中の奥側及び手前側に位置する幅方向の両端部から周壁１１に向かって突出している。キャリッジシャーシ４５の第２ピン５１は、ロック部材４４が後述するロック位置に位置すると、前記第１ガイド溝２３内に侵入する。キャリッジシャーシ４５の第２ピン５１は、ロック部材４４が後述するロック解除位置に位置すると、前記第１ガイド溝２３から抜け出る。
【０１１６】
クランプアーム４６の第２ピン５１は、アーム本体４９の図１及び図２中の奥側に位置する幅方向の端部から前述したスライド部材７を取り付けた周壁１１に向かって突出している。クランプアーム４６の第２ピン５１は、ロック部材４４がロック位置に位置すると、前記第２ガイド溝２７内に侵入する。クランプアーム４６の第２ピン５１は、ロック部材４４がロック解除位置に位置すると、前記第２ガイド溝２７から抜け出る。
【０１１７】
前記キャリッジシャーシ４５は、さらに、ロックピン５２を備えている。ロックピン５２は、キャリッジシャーシ４５のシャーシ本体４７の両端部からスライド部材７を取り付けた周壁１１に向かって突出している。ロックピン５２は、アーム本体４９とシャーシ本体４７との相対的な回転運動の回転中心に設けられている。ロックピン５２は、ロック部材４４がロック位置に位置すると、前記ロック凹溝３１内に侵入する。キャリッジシャーシ４５のロックピン５２は、ロック部材４４がロック解除位置に位置すると、前記ロック凹溝３１から抜け出る。
【０１１８】
前述した構成のキャリッジシャーシ４５とクランプアーム４６は、本明細書に記した挟持部材をなしている。クランプアーム４６は、本明細書に記した一方の挟持部材と、請求項１ないし請求項３に記した第１の部材とに相当する。キャリッジシャーシ４５は、本明細書に記した他方の挟持部材に相当する。このため、クランプ再生ユニット５は、一対の挟持部材を備えていることとなる。
【０１１９】
なお、前述したスライド部材７と、ピン４３と、第２ピン５１と、第３ピン５９とは、連動手段を構成している。後述するように搬送ユニット４のローラアーム３７とディスクガイド３８が搬送してきたＣＤ２ａ，２ｂを、クランプ再生ユニット５のキャリッジシャーシ４５とクランプアーム４６とで挟む。
【０１２０】
すると、これらで構成される連動手段は、前記ＣＤ２ａ，２ｂがローラアーム３７とディスクガイド３８などに接触できないように、ローラアーム３７とディスクガイド３８をＣＤ２ａ，２ｂから徐々に離させるとともに、ロック部材４４をロック位置からロック解除位置に向かって徐々に移動させる。
【０１２１】
また、前記ロックピン５２と、ロック部材４４と、ロック凹溝３１とは、ロック手段をなしている。これらで構成されるロック手段は、前記クランプ再生ユニット５を機器本体３に対し固定するロック位置と、クランプ再生ユニット５を機器本体３に対し移動自在とするロック解除位置と、に亘って変位自在である。
【０１２２】
さらに、前記ねじりばね６３と支持部６９は、本明細書に記した位置ずれ吸収手段をなしている。第２ねじりばね６５は、本明細書に記した第２の位置ずれ吸収手段をなしている。
【０１２３】
次に、前述した構成の記録媒体再生装置１の作用（動作）について説明する。まず、ＣＤ２ａ，２ｂが機器本体３内に挿入されていない状態では、図６に示すように、スライド部材７は、前記記録媒体挿入口１２から最も離れている。ローラアーム３７のピン４３は、ガイド斜面２２の記録媒体挿入口１２寄りの端部に接触している。ディスクガイド３８のピン４３は、水平延在部２０ａ内に位置している。こうして、ローラアーム３７とディスクガイド３８とは互いに近づいている。ローラアーム３７のローラ４０の端部に取りつけられた歯車は、駆動源部６の歯車１４と噛み合っている。
【０１２４】
また、ＣＤ２ａ，２ｂが機器本体３内に挿入されていない状態では、図６に示すように、キャリッジシャーシ４５の第２ピン５１は、第１ガイド溝２３の水平部２４の記録媒体挿入口１２寄りの端部に位置している。クランプアーム４６の第２ピン５１は、第２ガイド溝２７の水平部２７ａの記録媒体挿入口１２寄りの端部に位置している。こうして、キャリッジシャーシ４５とクランプアーム４６とは互いに離れた状態となっている。
【０１２５】
さらに、ＣＤ２ａ，２ｂが機器本体３内に挿入されていない状態では、図６に示すように、ロックピン５２は、ロック凹溝３１の水平延在部３５の記録媒体挿入口１２寄りの端部に位置している。ロック部材４４の鉤部５４は、ロックピン５２に係止しているとともに、ロック部材４４の第３ピン５９は、ロックガイド溝３０のスライド延在部３２の記録媒体挿入口１２寄りに端部に位置している。こうして、鉤部５４がロックピン５２に係止して、ロック部材４４は、クランプ再生ユニット５を機器本体３に対し固定している。
【０１２６】
ＣＤ２ａ，２ｂが機器本体３内に挿入されていない状態では、図５に示すように、位置決め部材６１は、前記位置決め位置（第１位置）に位置している。また、ＣＤ検出部材６２の他端部６２ｂがクランプアーム４６のアーム本体４９から離れている。さらに、図１０に示すように、検出部材６０は、前記接触位置に位置している。
【０１２７】
まず、記録媒体再生装置１の使用者が記録媒体挿入口１２内にＣＤ２ａ，２ｂを挿入する。図６に示す状態で、大径ＣＤ２ａを記録媒体挿入口１２内に挿入すると、モータ１３が例えば正転方向に回転するとともに、ローラ４０が回転する。モータ１３の駆動力によって回転されたローラ４０とディスクガイド３８の滑り部材４２との間に大径ＣＤ２ａが挟まれる。
【０１２８】
ローラ４０が回転しているため、大径ＣＤ２ａは、キャリッジシャーシ４５とクランプアーム４６との間即ち再生位置に向かって搬送される。大径ＣＤ２ａはＣＤ検出部材６２に接触する。大径ＣＤ２ａが、ＣＤ検出部材６２の他端部６２ｂをクランプアーム４６のアーム本体４９に近づける。位置決め部材６１が、第２位置に変位する。
【０１２９】
すると、大径ＣＤ２ａが、図１３に示すように、大径ＣＤ位置決め部６８に接触する。大径ＣＤ２ａが、検出部材６０を図１０中の矢印Ａに沿って回転させる。
【０１３０】
こうして、大径ＣＤ２ａは、図１３および図１４に示すように、クランプ再生ユニット５に位置決めされる。また、検出部材６０は、図１７に示す離間位置に向かって付勢されると、ラック押圧部７５がラック１５を記録媒体挿入口１２に向かって押す。ラック１５が一つの歯車１４と噛み合って、スライド部材７が徐々に記録媒体挿入口１２に向かってスライドし始める。
【０１３１】
ローラアーム３７のピン４３はガイド斜面２２に沿って移動して徐々に底壁９に近づく。ディスクガイド３８のピン４３は、水平延在部２０ａから傾斜延在部２１ａ内に侵入する。ディスクガイド３８のピン４３は、傾斜延在部２１ａに沿って移動して徐々に底壁９に近づく。こうして、ディスクガイド３８とローラアーム３７とは、まず、底壁９に徐々に近づく。
【０１３２】
また、キャリッジシャーシ４５の第２ピン５１は、水平部２４を経て上方傾斜部２５内に侵入する。そして、キャリッジシャーシ４５の第２ピン５１は、上方傾斜部２５に沿って徐々に天井壁１０に近づく。クランプアーム４６の第２ピン５１は、水平部２７ａを経て下方傾斜部２８に沿って徐々に底壁９に近づく。こうして、キャリッジシャーシ４５とクランプアーム４６とは、徐々に近づく。
【０１３３】
さらに、ロックピン５２は水平延在部３５に沿って、スライド部材７に対し相対的に移動する。ロック部材４４の第３ピン５９は、ロックガイド溝３０のスライド延在部３２に沿って、スライド部材７に対し相対的に移動する。ロック部材４４は、ロックピン５２に係止した状態を支持する。
【０１３４】
大径ＣＤ２ａが回転テーブル４８とクランパ５０との間に位置すると、ローラアーム３７のピン４３はガイド斜面２２に沿って移動して徐々に底壁９に近づく。ディスクガイド３８のピン４３は、傾斜延在部２１ａから傾斜延在部２１ｂ内に侵入する。ディスクガイド３８のピン４３は、傾斜延在部２１ｂに沿って移動して徐々に天井壁１０に近づく。こうして、ディスクガイド３８とローラアーム３７とは、互いに離れる。
【０１３５】
また、キャリッジシャーシ４５の第２ピン５１は、上方傾斜部２５に沿って徐々に天井壁１０に近づく。クランプアーム４６の第２ピン５１は、下方傾斜部２８に沿って徐々に底壁９に近づく。こうして、キャリッジシャーシ４５とクランプアーム４６とは、さらに徐々に近づく。
【０１３６】
すると、図２０に示すように、前記キャリッジシャーシ４５とクランプアーム４６とが互いに近づいて、回転テーブル４８とクランパ５０との間に大径ＣＤ２ａを挟む。また、回転テーブル４８とクランパ５０との間に大径ＣＤ２ａが挟まれると同時に、該大径ＣＤ２ａからローラアーム３７のローラ４０とディスクガイド３８とが離れる。こうして、搬送ユニット４が大径ＣＤ２ａを離すと同時に、クランプ再生ユニット５が大径ＣＤ２ａを挟持（クランプ）して、大径ＣＤ２ａは再生位置に位置決めされる。また、キャリッジシャーシ４５に設けられた突起部がカム部材６４に接触して、カム部材６４を検出部材６０の回転方向と同方向に回転させる。そして、カム部材６４の押圧部７７が第２ねじりばね６５の他端部６５ｃを矢印Ａに沿って押す。第２ねじりばね６５は、ばね接触部７８を矢印Ａに沿って付勢する。そして、検出部材６０は、図１７に示す離間位置に向かって付勢されて、この離間位置に変位する。
【０１３７】
クランプ再生ユニット５が大径ＣＤ２ａを挟持（クランプ）した状態では、図７に示すように、ローラアーム３７のピン４３は、ガイド斜面２２の中央部に接触している。ディスクガイド３８のピン４３は、傾斜延在部２１ｂの上端部に位置している。こうして、ローラアーム３７とディスクガイド３８とは徐々に離れている。
【０１３８】
また、クランプ再生ユニット５が大径ＣＤ２ａを挟持（クランプ）した状態では、図７に示すように、キャリッジシャーシ４５の第２ピン５１は、第１ガイド溝２３の上方傾斜部２５の記録媒体挿入口１２から離れた端部に位置している。クランプアーム４６の第２ピン５１は、第２ガイド溝２７の拡大部２９内に位置している。こうして、キャリッジシャーシ４５とクランプアーム４６とは互いに近づいた状態となっている。
【０１３９】
さらに、クランプ再生ユニット５が大径ＣＤ２ａを挟持（クランプ）した状態では、図７に示すように、ロックピン５２は、ロック凹溝３１の拡大部３６内に位置している。ロック部材４４の第３ピン５９は、ロックガイド溝３０のスライド延在部３２と交差延在部３３とが互いに交わる交差部に位置している。このため、鉤部５４のロックピン５２への係止が若干解除される方向に、ロック部材４４が前記ロック位置から若干回転されている。こうして、ロック部材４４は、前記ロック位置からロック解除位置に向かって若干変位されている。
【０１４０】
クランプ再生ユニット５が大径ＣＤ２ａを挟持（クランプ）した状態では、図２０に示すように、ねじりばね６３の中央部６３ａがキャリッジシャーシ４５のシャーシ本体４７に接触する。ねじりばね６３が、位置決め部材６１を図２０中の矢印Ｎに沿って、クランプアーム４６のアーム本体４９に向かって付勢する。大径ＣＤ位置決め部６８が、大径ＣＤ２ａの外縁から離れる。こうして、ねじりばね６３は、位置決め部材６１を離間位置に向かって付勢する。
【０１４１】
さらに、前記モータ１３が正転駆動して、スライド部材７が記録媒体挿入口１２に向かって移動されると、ローラアーム３７のピン４３はガイド斜面２２に沿って移動して徐々に底壁９に近づく。ディスクガイド３８のピン４３は、傾斜延在部２１ｂに沿って移動して徐々に天井壁１０に近づいた後、水平延在部２０ａ内に侵入する。こうして、ディスクガイド３８とローラアーム３７とは、さらに互いに離れる。
【０１４２】
また、キャリッジシャーシ４５の第２ピン５１は、上方傾斜部２５から拡大部２６に侵入した後、第１ガイド溝２３内から抜け出る。クランプアーム４６の第２ピン５１は、第２ガイド溝２７内から抜け出る。こうして、キャリッジシャーシ４５とクランプアーム４６とは、互いに近づいた状態を維持される。
【０１４３】
さらに、ロックピン５２はロック凹溝３１から抜け出る。ロック部材４４の第３ピン５９は、ロックガイド溝３０の交差延在部３３内に侵入しているため、スライド部材７の記録媒体挿入口１２に向かう移動によって、前記端部５８を中心として回転される。そして、鉤部５４からロックピン５２が完全に抜け出て、鉤部５４のロックピン５２に対する係止が解除される。こうして、ロック部材４４によるロックピン５２の係止が解除されて、前記ロック部材４４が図８に示すロック解除位置に変位する。
【０１４４】
ロック解除位置では、図８に示すように、ローラアーム３７のピン４３は、ガイド斜面２２の記録媒体挿入口１２から離れた端部に接触している。ディスクガイド３８のピン４３は、水平延在部２０ｂの記録媒体挿入口１２から離れた端部に位置している。こうして、ローラアーム３７とディスクガイド３８とは互いに離れる。アーム本体３９が底壁９に平行となるとともに、ローラアーム３７は底壁９の近傍に位置する。ガイド本体４１が天井壁１０と平行となるとともに、ディスクガイド３８は天井壁１０の近傍に位置する。
【０１４５】
また、ロック解除位置では、図８に示すように、キャリッジシャーシ４５の第２ピン５１は第１ガイド溝２３から抜け出ている。クランプアーム４６の第２ピン５１は、第２ガイド溝２７から抜け出ている。ロックピン５２は、ロック凹溝３１から抜け出ている。ロック部材４４の第３ピン５９は、ロックガイド溝３０の交差延在部３３に位置している。
【０１４６】
ロック部材４４のロックピン５２への係止が解除されているため、クランプ再生ユニット５は前述した図示しないダンパとコイルばねによって、機器本体３に対し移動自在となっている。この状態で、前記記録媒体再生装置１は、大径ＣＤ２ａに記録された情報を読み出して、該情報を音声として出力する。
【０１４７】
図７に示すクランプ再生ユニット５が大径ＣＤ２ａをクランプした状態から図８に示すロック解除位置に変位する際に、ロック部材４４は端部５８を中心として徐々に回転する。そして、ロックピン５２が徐々にロック凹溝３１内から徐々に抜け出るとともに、ロック部材４４のロックピン５２に対する係止が徐々に解除される。さらに、ローラアーム３７とディスクガイド３８とが大径ＣＤ２ａから徐々に離れる。
【０１４８】
また、前記ロック部材４４がロック位置からロック解除位置に向かって変位する最中には、ロックピン５２は、拡大部３６と鉤部５４等で囲まれた領域内を移動自在となる。前記ロック部材４４がロック位置からロック解除位置に向かって変位する最中には、ロック部材４４が端部５８を中心として回転するので、拡大部３６と鉤部５４等で囲まれた領域が徐々に拡大する。
【０１４９】
さらに、前記ロック部材４４がロック位置からロック解除位置に向かって変位する最中には、スライド部材７が記録媒体挿入口１２に向かって移動するため、第２ピンは、第１および第２ガイド溝２３，２７から徐々に抜け出る。第１および第２ガイド溝２３，２７から抜け出る最中には、第２ピン５１は、拡大部２６，２９内を移動自在となる。このため、第１および第２ガイド溝２３，２７から抜け出る最中には、第２ピン５１の移動自在となる領域が徐々に拡大する。
【０１５０】
このため、前記ロック部材４４がロック位置からロック解除位置に向かって変位する最中には、機器本体３に対するクランプ再生ユニット５が移動自在となる領域が徐々に拡大する。しかしながら、前述したスライド部材７などは、前記ロック部材４４などの変位によって移動自在となったクランプ再生ユニット５にクランプされた大径ＣＤ２ａが搬送ユニット４のローラアーム３７とディスクガイド３８などに接触できないように、ロック部材４４を変位させる。
【０１５１】
こうして、本実施形態の記録媒体再生装置１は、クランプ再生ユニット５が大径ＣＤ２ａをクランプすると、搬送ユニット４のローラアーム３７とディスクガイド３８とが大径ＣＤ２ａから徐々に離れるとともに、ロック部材４４のロックが徐々に解除される。ロック部材４４がロック解除位置に変位すると、クランプ再生ユニット５が大径ＣＤ２ａに記録された情報を取り出すことが可能となる。
【０１５２】
前記記録媒体再生装置１は、大径ＣＤ２ａの再生などが終了して、該大径ＣＤ２ａを機器本体３内から排出する際には、モータ１３が、先ほどとは逆方向に例えば逆転駆動して、スライド部材７を記録媒体挿入口１２から離す方向に移動させる。
【０１５３】
すると、ロック部材４４が、ロック解除位置からロック位置に向かって徐々に回転して、クランプ再生ユニット５が機器本体３に対し移動できる範囲が徐々に狭くなる。ローラアーム３７とディスクガイド３８とが徐々に互いに近づく。ローラアーム３７のローラ４０とディスクガイド３８との間に大径ＣＤ２ａを挟むと、キャリッジシャーシ４５とクランプアーム４６とが大径ＣＤ２ａから離れる。クランプ再生ユニット５のクランプが解除される。
【０１５４】
すると、中央部６３ａがキャリッジシャーシ４５のシャーシ本体４７から離れて、位置決め部材６１を前記位置決め位置に向かって付勢する。位置決め部材６１は、前記位置決め位置に変位する。ローラ４０の回転によって、大径ＣＤ２ａが記録媒体挿入口１２に向かって搬送される。すると、第２ねじりばね６５は、検出部材６０を前記接触位置に向かって付勢する。検出部材６０は、前記接触位置に変位する。大径ＣＤ２ａは、記録媒体挿入口１２を通して機器本体３外に排出される。
【０１５５】
前記記録媒体挿入口１２を通して機器本体３内に小径ＣＤ２ｂを挿入すると、まず、小径ＣＤ２ｂはＣＤ検出部材６２に接触することなく、ローラ４０と滑り部材４２との間に挟まれて、前記再生位置に向かって搬送される。
【０１５６】
すると、小径ＣＤ２ｂは、図１５に示すように、小径ＣＤ位置決め部６７に接触する。小径ＣＤ２ｂが検出部材６０を図１０中の矢印Ａに沿って回転させる。
【０１５７】
こうして、小径ＣＤ２ｂは、図１５および図１６に示すように、クランプ再生ユニット５に位置決めされる。そして、前記大径ＣＤ２ａの場合と同様に、スライド部材７が記録媒体挿入口１２に向かってスライドして、ローラアーム３７とディスクガイド３８とが小径ＣＤ２ｂを離すと同時に、キャリッジシャーシ４５とクランプアーム４６とが小径ＣＤ２ｂを挟む。
【０１５８】
すると、図２０に示すように、ねじりばね６３の中央部６３ａが、キャリッジシャーシ４５のシャーシ本体４７に接触する。ねじりばね６３は、位置決め部材６１を前記離間位置に向かって付勢する。位置決め部材６１が離間位置に変位して、小径ＣＤ位置決め部６７が小径ＣＤ２ｂから離れる。また、キャリッジシャーシ４５に設けられた突起部がカム部材６４に接触して、カム部材６４を検出部材６０の回転方向と同方向に回転させる。そして、カム部材６４の押圧部７７が第２ねじりばね６５の他端部６５ｃを矢印Ａに沿って押す。第２ねじりばね６５は、ばね接触部７８を矢印Ａに沿って付勢する。そして、検出部材６０は、図１７に示す離間位置に向かって付勢されて、この離間位置に変位する。こうして、小径ＣＤ２ｂは、クランプ再生ユニット５にクランプされる。前記小径ＣＤ２ｂを機器本体３内から排出する際には、前述した大径ＣＤ２ａと同様に排出する。
【０１５９】
このように、位置決め部材６１は、前記離間位置では、ねじりばね６３によってクランプアーム４６のアーム本体４９に向かって付勢される。クランプアーム４６と位置決め部材６１それぞれの寸法誤差およびこれらの組み付け誤差などによって、ＣＤ２ａ，２ｂをクランプした際のクランプアーム４６とキャリッジシャーシ４５との間隔が変化することがある。この場合、支持部６９の支持ピン７１に対する中央部６３ａの位置が変化する。さらに、前記他端部６３ｃの弾性変形量も変化する。
【０１６０】
図２１に示すように、クランプアーム４６とキャリッジシャーシ４５との間隔が広い場合には、中央部６３ａは、図２１中の矢印Ｌに沿って付勢されているため支持ピン７１に対しキャリッジシャーシ４５に近づく方向に変位する。そして、前記他端部６３ｃの弾性変形量が小さくなる。
【０１６１】
図２２に示すように、クランプアーム４６とキャリッジシャーシ４５との間隔が狭い場合には、中央部６３ａが支持ピン７１に対しキャリッジシャーシ４５から離れる方向に変位する。そして、前記他端部６３ｃの弾性変形量が大きくなる。このため、位置決め部材６１が、クランプアーム４６をキャリッジシャーシ４５から離れる方向に付勢しすぎることを防止でき、回転テーブル４８とクランパ５０とがＣＤ２ａ，２ｂをクランプできなくなることを防止する。
【０１６２】
また、クランプ再生ユニット５がＣＤ２ａ，２ｂをクランプすると、他端部６３ｃが弾性変形して、ねじりばね６３が位置決め部材６１を付勢している。このため、クランプアーム４６とキャリッジシャーシ４５との間隔が広い場合でも、位置決め部材６１が、クランプアーム４６のアーム本体４９から離れすぎることを防止できる。したがって、位置決め部材６１は、クランプアーム４６とキャリッジシャーシ４５との間で振動することを防止できる。
【０１６３】
このように、中央部６３ａの支持部６９に対する相対的な位置とねじりばね６３の他端部６３ｃの弾性変形量とを変化させることによって、位置決め部材６１のクランプアーム４６に対する相対的な位置を、所定の範囲内に納めることができる。したがって、位置決め部材６１とクランプアーム４６との位置ずれを確実に吸収できる。
【０１６４】
なお、この所定の範囲とは、回転テーブル４８とクランパ５０とがＣＤ２ａ，２ｂをクランプできなくなる位置と、クランプアーム４６とキャリッジシャーシ４５との間で位置決め部材６１が振動する位置との間である。さらに、回転テーブル４８とクランパ５０とがＣＤ２ａ，２ｂをクランプできなくなる位置と、クランプアーム４６とキャリッジシャーシ４５との間で位置決め部材６１が振動する位置と、は含まない。
【０１６５】
さらに、クランプ再生ユニット５がＣＤ２ａ，２ｂをクランプすると、他端部６５ｃが弾性変形して、第２ねじりばね６５が検出部材６０を付勢している。位置決め部材６１と検出部材６０それぞれの寸法誤差と、これらの組み付け誤差があることがある。この場合、第２ねじりばね６５の他端部６５ｃの弾性変形量が変化する。そして、検出部材６０の位置決め部材６１に対する相対的な位置を、所定の範囲内に納めることができる。したがって、検出部材６０と位置決め部材６１との位置ずれを確実に吸収できる。
【０１６６】
なお、この所定の範囲とは、各ＣＤ位置決め部６７，６８が各ＣＤ２ｂ，２ａに接触する位置と、各ＣＤ位置決め部６７，６８が位置決め部材６１の一部を各ＣＤ２ｂ，２ａから離れる方向に押しすぎて、この一部を壊してしまう位置と、の間である。さらに、各ＣＤ位置決め部６７，６８が各ＣＤ２ｂ，２ａに接触する位置と、各ＣＤ位置決め部６７，６８が位置決め部材６１の一部を壊してしまう位置と、を含まない。
【０１６７】
搬送ユニット４のローラアーム３７とディスクガイド３８がＣＤ２ａ，２ｂから離れる間に、ロック部材４４などがロック位置からロック解除位置に向かって徐々に移動する。したがって、機器本体３内にＣＤ２ａ，２ｂを挿入してから該ＣＤ２ａ，２ｂに記録された情報を読み出すまでにかかる時間を短縮できる。
【０１６８】
さらに、クランプアーム４６と位置決め部材６１とねじりばね６３と支持部６９は、請求項１ないし請求項３に記した位置ずれ吸収機構を構成している。位置決め部材６１と検出部材６０と第２ねじりばね６５とは、請求項４に記した位置ずれ吸収機構を構成している。
【０１６９】
また、従来の記録媒体再生装置２００は、前述した大径ＣＤ２ａと、小径ＣＤ２ｂとの双方を再生できるようになっている。記録媒体再生装置２００は、図２３に示すように、搬送ローラ２０１と、クランプ再生ユニット２０２と、を備えている。
【０１７０】
搬送ローラ２０１は、前記ＣＤ２ａ，２ｂを機器本体内に搬送したり、前記ＣＤ２ａ，２ｂを機器本体内から排出する。クランプ再生ユニット２０２は、ＣＤ２ａ，２ｂを再生位置にクランプしてこれらのＣＤ２ａ，２ｂから情報を取り出す。
【０１７１】
クランプ再生ユニット２０２は、キャリッジシャーシ２０３と、クランプアーム２０４と、位置決め部材２０５と、昇降アーム２０６と、を備えている。キャリッジシャーシ２０３とクランプアーム２０４とは互いに接離自在である。クランプ再生ユニット２０２は、キャリッジシャーシ２０３とクランプアーム２０４との間に、ＣＤ２ａ，２ｂをクランプ可能である。位置決め部材２０５は、キャリッジシャーシ２０３とクランプアーム２０４との間に配されている。
【０１７２】
位置決め部材２０５は、図２４および図２５に示すように、小径ＣＤ位置決め部２０７と大径ＣＤ位置決め部２０８と傾斜面２０９と平行面２１０とを備えている。これらの位置決め部２０７，２０８は、それぞれＣＤ２ｂ，２ａと接触して、これらのＣＤ２ｂ，２ａを再生位置に位置決めする。位置決め部２０７，２０８は、キャリッジシャーシ２０３とクランプアーム２０４とが相対する方向に沿って、互いにずれている。
【０１７３】
このため、位置決め部材２０５は、前記キャリッジシャーシ２０３とクランプアーム２０４とが相対する方向に沿って移動して、小径ＣＤ位置決め部２０７で小径ＣＤ２ｂを位置決めしたり、大径ＣＤ位置決め部２０８で大径ＣＤ２ａを位置決めする。
【０１７４】
図２３に示された例では、小径ＣＤ位置決め部２０７は、大径ＣＤ位置決め部２０８よりクランプアーム２０４寄りに配されている。位置決め部材２０５は、キャリッジシャーシ２０３に向かって付勢されて、小径ＣＤ位置決め部２０７が機器本体内に挿入されるＣＤ２ａ，２ｂの外縁部と相対するようになっている。位置決め部材２０５は、大径ＣＤ２ａを位置決めする際には、クランプアーム２０４に向かって移動される。
【０１７５】
傾斜面２０９は、キャリッジシャーシ２０３とクランプアーム２０４とが相対する方向に対し傾斜している。平行面２１０は、傾斜面２０９に連なっているとともに、キャリッジシャーシ２０３とクランプアーム２０４との双方と略平行である。
【０１７６】
昇降アーム２０６は、一方向に沿って延びた棒状に形成されている。昇降アーム２０６は、長手方向がＣＤ２ａ，２ｂの搬送方向に沿っている。昇降アーム２０６は、長手方向の中央部２０６ａを中心として回転自在にキャリッジシャーシ２０３に支持されている。昇降アーム２０６は、図示しないばねなどによって、一端部２０６ｂが傾斜面２０９とキャリッジシャーシ２０３との間に位置するように、付勢されている。なお、一端部２０６ｂにボス２１１を設けている。
【０１７７】
このため、昇降アーム２０６は、ＣＤ２ａ，２ｂ未挿入時には、図２３中に実線で示す位置に位置している。このとき、位置決め部材２０５の小径ＣＤ位置決め部２０７が機器本体内に挿入されるＣＤ２ａ，２ｂと相対する。
【０１７８】
機器本体に大径ＣＤ２ａが挿入されると、昇降アーム２０６の他端部２０６ｃに該大径ＣＤ２ａの外縁部が接触する。すると、他端部２０６ｃが機器本体の外側に変位し、一端部２０６ｂが機器本体の内側に変位するように、図２３中に二点鎖線で示す位置に向かって回転する。
【０１７９】
すると、ボス２１１が傾斜面２０９に接触したのち、平行面２１０に向かって移動する。そして、ボス２１１が、位置決め部材２０５をクランプアーム２０４に向かって移動させる。ボス２１１は、図２５に示すように、平行面２１０と接触する。図２３中に二点鎖線で示す位置では、位置決め部材２０５の大径ＣＤ位置決め部２０８が機器本体内に挿入されるＣＤ２ａ，２ｂと相対する。
【０１８０】
小径ＣＤ２ｂを機器本体内に挿入した際には、該小径ＣＤ２ｂは昇降アーム２０６に接触しない。このため、小径ＣＤ２ｂは、確実に小径ＣＤ位置決め部２０７に接触する。このように、図２３に示した従来の記録媒体再生装置２００は、キャリッジシャーシ２０３の中央部から搬送ローラ２０１に至る長い昇降アーム２０６を用いている。
【０１８１】
前述した従来の記録媒体再生装置２００は、機器本体に比較して長い昇降アーム２０６を備えている。この記録媒体再生装置２００は、例えば移動体としての自動車などに取りつけられる際に、クランプ再生ユニット２０２を機器本体に対し相対的に移動自在とされる。従来の記録媒体再生装置は、前記長い昇降アーム２０６を移動させるためのスペースを機器本体内に確保する必要が生じる。このため、記録媒体再生装置２００は、機器本体が大型化する傾向であった。
【０１８２】
そこで、前述した実施形態に示された記録媒体再生装置１では、位置決め部材６１をクランプアーム４６に接離させるために、一端部６２ａを中心として回転自在でかつ他端部６２ｂが位置決め部材６１と係合したＣＤ検出部材６２を用いている。ＣＤ検出部材６２は、他端部６２ｂがクランプアーム４６のアーム本体４９に接離することで、位置決め部材６１をクランプアーム４６に向かって接離させる。
【０１８３】
こうして、ＣＤ検出部材６２の他端部６２ｂがクランプアーム４６のアーム本体４９から離れると、機器本体３内に挿入される小径ＣＤ２ｂに小径ＣＤ位置決め部６７を相対させる。ＣＤ検出部材６２の他端部６２ｂがクランプアーム４６のアーム本体４９に近づくと、機器本体３内に挿入される大径ＣＤ２ａに大径ＣＤ位置決め部６８を相対させる。
【０１８４】
ＣＤ検出部材６２は、一端部６２ａが回転自在にクランプアーム４６に支持されている。また、ＣＤ検出部材６２は、他端部６２ｂが位置決め部材６１に係合している。このため、ＣＤ検出部材６２は、一端部６２ａと他端部６２ｂに至る全長を抑制できる。また、ＣＤ検出部材６２は、クランプアーム４６の外方向に突出する必要がない。このため、機器本体３の大型化を抑制できる。
【０１８５】
また、一つのねじりばね６３がＣＤ検出部材６２を前記位置決め位置と離間位置との双方に向かって付勢する。このため、記録媒体再生装置１の部品点数の増加を抑制できる。
【０１８６】
さらに、前述した実施形態では、以下の付記１及び付記２に示す記録媒体再生装置が得られる。
【０１８７】
（付記１）互いに外径の異なる大径ディスク形記録媒体と小径ディスク形記録媒体とを機器本体の再生位置に位置させて、これらのディスク形記録媒体に記録された情報を読み出す記録媒体再生装置において、
前記機器本体内に収容された前記ディスク形記録媒体をクランプして該ディスク形記録媒体に記録された情報を読み出すことが可能なクランプ再生手段を備え、
前記クランプ再生手段は、前記ディスク形記録媒体をクランプする一対の挟持部材と、前記一対の挟持部材の間に配され、前記ディスク形記録媒体を前記再生位置に位置決めする位置決め部材と、を有し、
前記位置決め部材が、前記小径ディスク形記録媒体を前記再生位置に位置決めする第１位置と、前記大径ディスク形記録媒体を前記再生位置に位置決めする第２位置と、に亘って移動自在に設けられているとともに、
大径ディスク形記録媒体が前記再生位置に位置される際には該大径ディスク形記録媒体により押されて前記位置決め部材を第２位置に変位させ、小径ディスク形記録媒体が前記再生位置に位置される際には前記小径ディスク形記録媒体に押されることなく前記位置決め部材を前記第１位置に保つように、一端部が前記一対の挟持部材のうちの一方の挟持部材に回転自在に支持されかつ他端部が前記位置決め部材に係合されている記録媒体検出手段を備えたことを特徴とする記録媒体再生装置。
【０１８８】
（付記２）前記位置決め部材は、前記機器本体内に収容されたディスク形記録媒体を位置決めする位置決め位置と、位置決めしたディスク形記録媒体から離れる離間位置とに亘って移動自在に前記一方の挟持部材に取り付けられているとともに、
前記位置決め部材を前記離間位置に向かって付勢する第１の状態と、前記位置決め部材を前記位置決め位置に向かって付勢する第２の状態と、を切り替え可能である付勢手段を備えたことを特徴とする付記１記載の記録媒体再生装置。
【０１８９】
前述した付記１に記載の記録媒体再生装置によれば、位置決め部材を第１位置と第２位置とに亘って移動させる記録媒体検出手段の一端部が、一方の挟持部材に回転自在に支持されている。記録媒体検出手段の他端部が、位置決め部材に係合している。このため、記録媒体検出手段の一端部から他端部に至る長さを抑制できる。したがって、記録媒体再生装置の機器本体の大型化を抑制できる。
【０１９０】
付記２に記載の記録媒体再生装置によれば、付勢手段が第１の状態と第２の状態とを切り替え可能である。このため、記録媒体再生装置の部品点数を抑制できる。
【０１９１】
なお、前記付記１および付記２に記載された記録媒体検出手段には、実施形態のＣＤ検出部材６２が相当する。前記付記１に記載された大径ディスク形記録媒体位置決め部には、大径ＣＤ位置決め部６８に相当する。前記付記１に記載された小径ディスク形記録媒体位置決め部には、小径ＣＤ位置決め部６７に相当する。前記付記２に記載された付勢手段には、実施形態のねじりばね６３が相当する。
【０１９２】
【発明の効果】
【０１９７】
請求項１に記載の本発明は、位置ずれ吸収手段が一方の挟持部材と位置決め部材との相対的な位置を所定の範囲内に保つ。このため、一方の挟持部材と位置決め部材との寸法誤差やこれらの部材の組み付け誤差があっても、前記一方の挟持部材と位置決め部材との相対的な位置を所定の範囲内に保つことができる。したがって、互いに移動自在な一方の挟持部材と位置決め部材との間の位置ずれを確実に吸収できる。
【０１９８】
位置ずれ吸収手段が位置決め部材を付勢するねじりばねと、このねじりばねの中央部を移動自在に支持する支持部と、を備えている。また、ねじりばねは、記録媒体がクランプされると中央部が他方の挟持部材に接触する。このため、一方の挟持部材と位置決め部材との寸法誤差やこれらの部材の組み付け誤差がある場合には、ねじりばねの特に位置決め部材と接触する他端部が弾性変形する。このため、記録媒体をクランプした際に、位置決め部材が必要以上に一方の挟持部材を他方の挟持部材から離れる方向に付勢することを防止できる。
【０１９９】
また、一方の挟持部材と位置決め部材との寸法誤差やこれらの部材の組み付け誤差がある場合には、前記支持部に対する中央部の位置が変化する。記録媒体をクランプした際に、位置決め部材が一方の挟持部材から離れて、一対の挟持部材間で振動することを防止できる。したがって、一方の挟持部材と位置決め部材との相対的な位置を一定に保つことができる。したがって、互いに移動自在な一方の挟持部材と位置決め部材との間の位置ずれをより確実に吸収できる。
【０２００】
請求項２に記載の本発明は、ねじりばねの中央部が離間位置に向かって付勢される方向に沿って移動自在である。一方の挟持部材と位置決め部材との寸法誤差やこれらの部材の組み付け誤差があると、中央部が離間位置に向かって付勢する方向に沿って移動する。このため、前記一方の挟持部材と位置決め部材との相対的な位置を一定に保つことができる。
【図面の簡単な説明】
【図１】本発明の第１の実施形態にかかる記録媒体再生装置を示す斜視図である。
【図２】図１に示された記録媒体再生装置の機器本体を示す斜視図である。
【図３】図１に示された記録媒体再生装置の機器本体を他の方向からみた斜視図である。
【図４】図１に示された記録媒体再生装置のスライド部材などを示す正面図である。
【図５】図１に示された記録媒体再生装置のクランプ再生ユニットの側面図である。
【図６】図１に示された記録媒体再生装置のＣＤが挿入されていない状態を側方からみた説明図である。
【図７】図１に示された記録媒体再生装置のクランプ再生ユニットがＣＤをクランプした状態を側方からみた説明図である。
【図８】図１に示された記録媒体再生装置のロック部材などがロック解除位置に変位した状態を側方からみた説明図である。
【図９】図５に示されたクランプ再生ユニットなどを示す平面図である。
【図１０】図５に示されたクランプ再生ユニットの検出部材とこの検出部材の近傍を拡大して示す平面図である。
【図１１】図１０中のＸＩ−ＸＩ線に沿う断面図である。
【図１２】図１０中のＸＩＩ−ＸＩＩ線に沿う断面図である。
【図１３】図９に示されたクランプ再生ユニットが大径ＣＤを位置決めした状態を示す平面図である。
【図１４】図９に示されたクランプ再生ユニットが大径ＣＤを位置決めした状態を示す側面図である。
【図１５】図９に示されたクランプ再生ユニットが小径ＣＤを位置決めした状態を示す平面図である。
【図１６】図９に示されたクランプ再生ユニットが小径ＣＤを位置決めした状態を示す側面図である。
【図１７】図１０に示された検出部材が離間位置に変位した状態を示す平面図である。
【図１８】図１７中のＳ−Ｓ線に沿う断面図である。
【図１９】図１７中のＴ−Ｔ線に沿う断面図である。
【図２０】図５に示されたクランプ再生ユニットがＣＤをクランプした状態を示す側面図である。
【図２１】図５に示されたクランプ再生ユニットがＣＤをクランプした際に、クランプアームとキャリッジシャーシとの間が広い場合を示す側面図である。
【図２２】図５に示されたクランプ再生ユニットがＣＤをクランプした際に、クランプアームとキャリッジシャーシとの間が狭い場合を示す側面図である。
【図２３】従来から用いられている記録媒体再生装置の一部を示す平面図である。
【図２４】図２３中のＺ−Ｚ線の沿う断面図である。
【図２５】図２３に示された記録媒体再生装置のボスが位置決め部材を押し上げた状態を示す断面図である。
【符号の説明】
１  記録媒体再生装置
２ａ  大径ＣＤ（記録媒体）
２ｂ  小径ＣＤ（記録媒体）
３  機器本体
５  クランプ再生ユニット（クランプ再生手段）
４５  キャリッジシャーシ（他方の挟持部材）
４６  クランプアーム（一方の挟持部材、第１の部材）
６０  検出部材（第２の部材）
６１  位置決め部材（第２の部材、第１の部材）
６３  ねじりばね（位置ずれ吸収手段）
６３ａ  中央部
６３ｂ  一端部
６３ｃ  他端部
６５  第２ねじりばね（第２の位置ずれ吸収手段）
６５ａ  中央部
６５ｂ  一端部
６５ｃ  他端部
６９  支持部（位置ずれ吸収手段）
Ａ  一方の方向
Ｂ  他方の方向
【図１】
0004170602.tif 000002
【図２】
0004170602.tif 000003
【図３】
0004170602.tif 000004
【図４】
0004170602.tif 000005
【図５】
0004170602.tif 000006
【図６】
0004170602.tif 000007
【図７】
0004170602.tif 000008
【図８】
0004170602.tif 000009
【図９】
0004170602.tif 000010
【図１０】
0004170602.tif 000011
【図１１】
0004170602.tif 000012
【図１２】
0004170602.tif 000013
【図１３】
0004170602.tif 000014
【図１４】
0004170602.tif 000015
【図１５】
0004170602.tif 000016
【図１６】
0004170602.tif 000017
【図１７】
0004170602.tif 000018
【図１８】
0004170602.tif 000019
【図１９】
0004170602.tif 000020
【図２０】
0004170602.tif 000021
【図２１】
0004170602.tif 000022
【図２２】
0004170602.tif 000023
【図２３】
0004170602.tif 000024
【図２４】
0004170602.tif 000025
【図２５】
0004170602.tif 000026